(57)【特許請求の範囲】
【請求項１】
第一端子付き電線の端子を収容する第一コネクタハウジングを含む第一コネクタと、
前記第一コネクタに対して電線の配索方向と反対側に位置し、第二端子付き電線の端子を収容する第二コネクタハウジングを含む第二コネクタと、
前記第一コネクタハウジングから引き出した前記第一端子付き電線の第一電線を、前記配索方向側に誘導するように前記第一コネクタハウジングの前記第一電線が引き出される側に配置された第一電線保護規制カバーの対向する両側壁を貫通する部分である第一挿通部と、
前記第一電線保護規制カバーの対向する両側壁の前記第一コネクタハウジングに装着される開口側端部から前記第一挿通部によって前記両側壁に形成された二つの第一電線挿通口のそれぞれに電線を誘導する二つの第一ガイドスリットと、
前記第二コネクタハウジングから引き出した前記第二端子付き電線の第二電線を、前記第一挿通部側に誘導するように前記第二コネクタハウジングの前記第二電線が引き出される側に配置された第二電線保護規制カバーの対向する両側壁を貫通する部分である第二挿通部と、
前記第二電線保護規制カバーの対向する両側壁の前記第二コネクタハウジングに装着される開口側端部から前記第二挿通部によって前記両側壁に形成された二つの第二電線挿通口のそれぞれに電線を誘導する二つの第二ガイドスリットと、
を備えたコネクタユニットであって、
前記第一挿通部は、
前記第二挿通部から当該第一挿通部に誘導された前記第二電線を前記第一電線とともに前記配索方向側に誘導する
ことを特徴とするコネクタユニット。
【請求項２】
第一端子付き電線の端子を収容する第一コネクタハウジングを含む第一コネクタと、
前記第一コネクタに対して電線の配索方向と反対側に位置し、第二端子付き電線の端子を収容する第二コネクタハウジングを含む第二コネクタと、
前記第一コネクタハウジングから引き出した前記第一端子付き電線の第一電線を、前記配索方向側に誘導するように前記第一コネクタハウジングの前記第一電線が引き出される側に配置された第一電線保護規制カバーの対向する両側壁を貫通する部分である第一挿通部と、
前記第一電線保護規制カバーの対向する両側壁の前記第一コネクタハウジングに装着される開口側端部から前記第一挿通部によって前記両側壁に形成された二つの第一電線挿通口のそれぞれに電線を誘導する二つの第一ガイドスリットと、
前記第二コネクタハウジングから引き出した前記第二端子付き電線の第二電線を、前記第一挿通部において前記第一電線とともに誘導するように前記第二コネクタハウジングの前記第二電線が引き出される側に配置された第二電線保護規制カバーの対向する両側壁を貫通する部分である第二挿通部と、
前記第二電線保護規制カバーの対向する両側壁の前記第二コネクタハウジングに装着される開口側端部から前記第二挿通部によって前記両側壁に形成された二つの第二電線挿通口のそれぞれに電線を誘導する二つの第二ガイドスリットと、
を備えたコネクタユニットであって、
前記第二挿通部から前記第一挿通部に誘導された前記第二電線は、
前記第一挿通部から前記配索方向側に誘導された前記第一電線の配索ラインと一直線上に並ばない形態で前記第一挿通部に挿通され、前記第一挿通部によって前記第一電線とともに前記配索方向側に誘導される
ことを特徴とするコネクタユニット。
【請求項３】
第一端子付き電線の端子を収容する第一コネクタハウジングを含む第一コネクタと、
前記第一コネクタに対して電線の配索方向と反対側に位置し、第二端子付き電線の端子を収容する第二コネクタハウジングを含む第二コネクタと、
前記第一コネクタハウジングから引き出した前記第一端子付き電線の第一電線を、前記配索方向側に誘導するように前記第一コネクタハウジングの前記第一電線が引き出される側に配置された第一電線保護規制カバーの対向する両側壁を貫通する部分である第一挿通部と、
前記第一電線保護規制カバーの対向する両側壁の前記第一コネクタハウジングに装着される開口側端部から前記第一挿通部によって前記両側壁に形成された二つの第一電線挿通口のそれぞれに電線を誘導する二つの第一ガイドスリットと、
前記第二コネクタハウジングから引き出した前記第二端子付き電線の第二電線を、前記第一挿通部側に誘導するように前記第二コネクタハウジングの前記第二電線が引き出される側に配置された第二電線保護規制カバーの対向する両側壁を貫通する部分である第二挿通部と、
前記第二電線保護規制カバーの対向する両側壁の前記第二コネクタハウジングに装着される開口側端部から前記第二挿通部によって前記両側壁に形成された二つの第二電線挿通口のそれぞれに電線を誘導する二つの第二ガイドスリットと、
を備えたコネクタユニットであって、
前記第二挿通部から誘導された前記第二電線、前記第二コネクタおよび前記第二挿通部は、
前記第一挿通部によって誘導されて前記配索方向側に引き出された前記第一電線の配索ラインと一直線上に並ばない形態で配置され、前記第二電線が前記第一挿通部に挿通され、前記第一挿通部から前記第一電線とともに前記配索方向側に誘導される
ことを特徴とするコネクタユニット。
【請求項４】
第一端子付き電線の端子を収容する第一コネクタハウジングと、
前記第一コネクタハウジングから引き出した前記端子付き電線の第一電線を配索方向側に誘導するように前記第一コネクタハウジングの前記第一電線が引き出される側に配置された第一電線保護規制カバーの対向する両側壁を貫通する部分である第一挿通部と、
前記第一電線保護規制カバーの対向する両側壁の前記第一コネクタハウジングに装着される開口側端部から前記第一挿通部によって前記両側壁に形成された二つの第一電線挿通口のそれぞれに電線を誘導する二つの第一ガイドスリットと、
第二端子付き電線の端子を収容する第二コネクタハウジングと、
前記第二コネクタハウジングから引き出した前記第二端子付き電線の第二電線を前記第一挿通部側に誘導するように前記第二コネクタハウジングの前記第二電線が引き出される側に配置された第二電線保護規制カバーの対向する両側壁を貫通する部分である第二挿通部と、
前記第二電線保護規制カバーの対向する両側壁の前記第二コネクタハウジングに装着される開口側端部から前記第二挿通部によって前記両側壁に形成された二つの第二電線挿通口のそれぞれに電線を誘導する二つの第二ガイドスリットと、
を備えたコネクタユニットであって、
前記第二コネクタハウジングおよび前記第二挿通部は、
前記第一コネクタハウジングおよび前記第一挿通部に対して、前記第一挿通部から前記配索方向側に誘導された前記第一電線の配索ラインと一直線上に並ばない形態で位置し、
前記第二挿通部から誘導された前記第二電線は、
前記第二挿通部と前記第一挿通部の間で、前記第一挿通部から前記配索方向側に誘導された前記第一電線と一直線上に並ばない形態であって、かつ、前記第一挿通部に挿通されて前記第一電線とともに前記配索方向側に誘導される
ことを特徴とするコネクタユニット。
【請求項５】
前記第二挿通部から誘導された前記第二電線は、
前記第二挿通部と前記第一挿通部の間で、前記第一挿通部の前記配索方向側の前記第一電線の配索ラインと屈曲された状態である
ことを特徴とする請求項１、２、３または４に記載のコネクタユニット。
【請求項６】
前記第二コネクタハウジングに対して、前記第一コネクタハウジングと反対側に配置され、第三端子付き電線の端子を収容する第三コネクタハウジングと、
前記第三コネクタハウジングから引き出した前記第三端子付き電線の第三電線を前記第二挿通部側に誘導するように前記第三コネクタハウジングの前記第三電線が引き出される側に配置された第三電線保護規制カバーの対向する両側壁を貫通する部分である第三挿通部と、
前記第三電線保護規制カバーの対向する両側壁の前記第三コネクタハウジングに装着される開口側端部から前記第三挿通部によって前記両側壁に形成された二つの第三電線挿通口のそれぞれに電線を誘導する二つの第三ガイドスリットと、
を備え、
前記第二挿通部は、
前記第三挿通部から誘導された前記第三電線を前記第二電線とともに前記第一挿通部側に誘導し、
前記第一挿通部は、
前記第三電線を前記第一電線および前記第二電線とともに前記配索方向側に誘導する
ことを特徴とする請求項１、２、３、４または５に記載のコネクタユニット。
【請求項７】
前記第三挿通部から誘導された前記第三電線は、
前記第三挿通部と前記第二挿通部の間で、前記第二挿通部と前記第一挿通部の間での前記第二電線の配索ラインと一直線上に並ばない形態である
ことを特徴とする請求項６に記載のコネクタユニット。
【発明の詳細な説明】
【技術分野】
【０００１】  本発明は、コネクタハウジングを有するコネクタユニットに関する。
【背景技術】
【０００２】  従来、車両には電子機器に電力、あるいは制御信号等を伝えるため電線を配索する。この電線は、端部に取り付けた端子をコネクタの端子収容室に収容するため、コネクタから引き出した電線が周辺のケース等に噛みこんで損傷しないように、コネクタ周辺の電線を束ねて保護する必要がある。  例えば、特許文献１には、コネクタから引き出した電線を束ねて保護するとともに、電線を配索方向に誘導するプロテクタ（電線保護規制カバー）が記載されている。
【先行技術文献】
【特許文献】
【０００３】
【特許文献１】特開２０１３−１０５５２４号公報
【発明の概要】
【発明が解決しようとする課題】
【０００４】  しかしながら、特許文献１に記載した電線保護規制カバーは、電線の入口、あるいは出口となる二つの電線挿通口の各電線挿通口が電線の入口、あるいは出口となるようにその形状を定めており、複数のコネクタハウジングから引き出される複数の電線を一つの配索方向に誘導することが難しいという問題があった。【０００５】  本発明は、上記に鑑みてなされたものであって、複数のコネクタハウジングから引き出された電線を一つの配索方向に誘導することができるコネクタユニットを提供することを目的とする。
【課題を解決するための手段】
【０００６】
上述した課題を解決し、目的を達成するために、本発明の請求項１に係るコネクタユニットは、第一端子付き電線の端子を収容する第一コネクタハウジングを含む第一コネクタと、前記第一コネクタに対して電線の配索方向と反対側に位置し、第二端子付き電線の端子を収容する第二コネクタハウジングを含む第二コネクタと、前記第一コネクタハウジングから引き出した前記第一端子付き電線の第一電線を、前記配索方向側に誘導するように前記第一コネクタハウジングの前記第一電線が引き出される側に配置された第一電線保護規制カバーの対向する両側壁を貫通する部分である第一挿通部と、前記第一電線保護規制カバーの対向する両側壁の前記第一コネクタハウジングに装着される開口側端部から前記第一挿通部によって前記両側壁に形成された二つの第一電線挿通口のそれぞれに電線を誘導する二つの第一ガイドスリットと、前記第二コネクタハウジングから引き出した前記第二端子付き電線の第二電線を、前記第一挿通部側に誘導するように前記第二コネクタハウジングの前記第二電線が引き出される側に配置された第二電線保護規制カバーの対向する両側壁を貫通する部分である第二挿通部と、前記第二電線保護規制カバーの対向する両側壁の前記第二コネクタハウジングに装着される開口側端部から前記第二挿通部によって前記両側壁に形成された二つの第二電線挿通口のそれぞれに電線を誘導する二つの第二ガイドスリットと、を備えたコネクタユニットであって、前記第一挿通部は、前記第二挿通部から当該第一挿通部に誘導された前記第二電線を前記第一電線とともに前記配索方向側に誘導することを特徴とする。
【０００７】
また、上述した課題を解決し、目的を達成するために、本発明の請求項２に係るコネクタユニットは、第一端子付き電線の端子を収容する第一コネクタハウジングを含む第一コネクタと、前記第一コネクタに対して電線の配索方向と反対側に位置し、第二端子付き電線の端子を収容する第二コネクタハウジングを含む第二コネクタと、前記第一コネクタハウジングから引き出した前記第一端子付き電線の第一電線を、前記配索方向側に誘導するように前記第一コネクタハウジングの前記第一電線が引き出される側に配置された第一電線保護規制カバーの対向する両側壁を貫通する部分である第一挿通部と、前記第一電線保護規制カバーの対向する両側壁の前記第一コネクタハウジングに装着される開口側端部から前記第一挿通部によって前記両側壁に形成された二つの第一電線挿通口のそれぞれに電線を誘導する二つの第一ガイドスリットと、前記第二コネクタハウジングから引き出した前記第二端子付き電線の第二電線を、前記第一挿通部において前記第一電線とともに誘導するように前記第二コネクタハウジングの前記第二電線が引き出される側に配置された第二電線保護規制カバーの対向する両側壁を貫通する部分である第二挿通部と、前記第二電線保護規制カバーの対向する両側壁の前記第二コネクタハウジングに装着される開口側端部から前記第二挿通部によって前記両側壁に形成された二つの第二電線挿通口のそれぞれに電線を誘導する二つの第二ガイドスリットと、を備えたコネクタユニットであって、前記第二挿通部から前記第一挿通部に誘導された前記第二電線は、前記第一挿通部から前記配索方向側に誘導された前記第一電線の配索ラインと一直線上に並ばない形態で前記第一挿通部に挿通され、前記第一挿通部によって前記第一電線とともに前記配索方向側に誘導されることを特徴とする。
【０００８】
また、上述した課題を解決し、目的を達成するために、本発明の請求項３に係るコネクタユニットは、第一端子付き電線の端子を収容する第一コネクタハウジングを含む第一コネクタと、前記第一コネクタに対して電線の配索方向と反対側に位置し、第二端子付き電線の端子を収容する第二コネクタハウジングを含む第二コネクタと、前記第一コネクタハウジングから引き出した前記第一端子付き電線の第一電線を、前記配索方向側に誘導するように前記第一コネクタハウジングの前記第一電線が引き出される側に配置された第一電線保護規制カバーの対向する両側壁を貫通する部分である第一挿通部と、前記第一電線保護規制カバーの対向する両側壁の前記第一コネクタハウジングに装着される開口側端部から前記第一挿通部によって前記両側壁に形成された二つの第一電線挿通口のそれぞれに電線を誘導する二つの第一ガイドスリットと、前記第二コネクタハウジングから引き出した前記第二端子付き電線の第二電線を、前記第一挿通部側に誘導するように前記第二コネクタハウジングの前記第二電線が引き出される側に配置された第二電線保護規制カバーの対向する両側壁を貫通する部分である第二挿通部と、前記第二電線保護規制カバーの対向する両側壁の前記第二コネクタハウジングに装着される開口側端部から前記第二挿通部によって前記両側壁に形成された二つの第二電線挿通口のそれぞれに電線を誘導する二つの第二ガイドスリットと、を備えたコネクタユニットであって、前記第二挿通部から誘導された前記第二電線、前記第二コネクタおよび前記第二挿通部は、前記第一挿通部によって誘導されて前記配索方向側に引き出された前記第一電線の配索ラインと一直線上に並ばない形態で配置され、前記第二電線が前記第一挿通部に挿通され、前記第一挿通部から前記第一電線とともに前記配索方向側に誘導されることを特徴とする。
【０００９】
また、上述した課題を解決し、目的を達成するために、本発明の請求項４に係るコネクタユニットは、第一端子付き電線の端子を収容する第一コネクタハウジングと、前記第一コネクタハウジングから引き出した前記端子付き電線の第一電線を配索方向側に誘導するように前記第一コネクタハウジングの前記第一電線が引き出される側に配置された第一電線保護規制カバーの対向する両側壁を貫通する部分である第一挿通部と、前記第一電線保護規制カバーの対向する両側壁の前記第一コネクタハウジングに装着される開口側端部から前記第一挿通部によって前記両側壁に形成された二つの第一電線挿通口のそれぞれに電線を誘導する二つの第一ガイドスリットと、第二端子付き電線の端子を収容する第二コネクタハウジングと、前記第二コネクタハウジングから引き出した前記第二端子付き電線の第二電線を前記第一挿通部側に誘導するように前記第二コネクタハウジングの前記第二電線が引き出される側に配置された第二電線保護規制カバーの対向する両側壁を貫通する部分である第二挿通部と、前記第二電線保護規制カバーの対向する両側壁の前記第二コネクタハウジングに装着される開口側端部から前記第二挿通部によって前記両側壁に形成された二つの第二電線挿通口のそれぞれに電線を誘導する二つの第二ガイドスリットと、を備えたコネクタユニットであって、前記第二コネクタハウジングおよび前記第二挿通部は、前記第一コネクタハウジングおよび前記第一挿通部に対して、前記第一挿通部から前記配索方向側に誘導された前記第一電線の配索ラインと一直線上に並ばない形態で位置し、前記第二挿通部から誘導された前記第二電線は、前記第二挿通部と前記第一挿通部の間で、前記第一挿通部から前記配索方向側に誘導された前記第一電線と一直線上に並ばない形態であって、かつ、前記第一挿通部に挿通されて前記第一電線とともに前記配索方向側に誘導されることを特徴とする。
【００１０】  また、本発明の請求項５に係るコネクタユニットは、上記の発明において、前記第二挿通部から誘導された前記第二電線は、前記第二挿通部と前記第一挿通部の間で、前記第一挿通部の前記配索方向側の前記第一電線の配索ラインと屈曲された状態であることを特徴とする。【００１１】
また、本発明の請求項６に係るコネクタユニットは、上記の発明において、前記第二コネクタハウジングに対して、前記第一コネクタハウジングと反対側に配置され、第三端子付き電線の端子を収容する第三コネクタハウジングと、前記第三コネクタハウジングから引き出した前記第三端子付き電線の第三電線を前記第二挿通部側に誘導するように前記第三コネクタハウジングの前記第三電線が引き出される側に配置された第三電線保護規制カバーの対向する両側壁を貫通する部分である第三挿通部と、前記第三電線保護規制カバーの対向する両側壁の前記第三コネクタハウジングに装着される開口側端部から前記第三挿通部によって前記両側壁に形成された二つの第三電線挿通口のそれぞれに電線を誘導する二つの第三ガイドスリットと、を備え、前記第二挿通部は、前記第三挿通部から誘導された前記第三電線を前記第二電線とともに前記第一挿通部側に誘導し、前記第一挿通部は、  前記第三電線を前記第一電線および前記第二電線とともに前記配索方向側に誘導することを特徴とする。
【００１２】  また、本発明の請求項７に係るコネクタユニットは、上記の発明において、前記第三挿通部から誘導された前記第三電線が、前記第三挿通部と前記第二挿通部の間で、前記第二挿通部と前記第一挿通部の間での前記第二電線の配索ラインと一直線上に並ばない形態であることを特徴とする。
【発明の効果】
【００１３】  本発明の請求項１に係るコネクタユニットは、前記第一挿通部が、前記第二挿通部から当該第一挿通部に誘導された前記第二電線を前記第一電線とともに前記配索方向側に誘導するので、複数のコネクタハウジングから引き出された電線を一つの配索方向に誘導することができる。【００１４】  本発明の請求項２に係るコネクタユニットは、前記第二挿通部から前記第一挿通部に誘導された前記第二電線が、前記第一挿通部から前記配索方向側に誘導された前記第一電線の配索ラインと一直線上に並ばない形態で前記第一挿通部に挿通され、前記第一挿通部によって前記第一電線とともに前記配索方向側に誘導されるので、前記第二挿通部から前記第一挿通部に誘導された前記第二電線が、前記第一挿通部から前記配索方向側に誘導された前記第一電線の配索ラインと一直線上に並ばない形態であっても、複数のコネクタハウジングから引き出された電線を一つの配索方向に誘導することができる。【００１５】  本発明の請求項３に係るコネクタユニットは、前記第二挿通部から誘導された前記第二電線、前記第二コネクタおよび前記第二挿通部が、前記第一挿通部によって誘導されて前記配索方向側に引き出された前記第一電線の配索ラインと一直線上に並ばない形態で配置され、前記第二電線が前記第一挿通部に挿通され、前記第一挿通部から前記第一電線とともに前記配索方向側に誘導されるので、前記第二挿通部から誘導された前記第二電線、前記第二コネクタおよび前記第二挿通部が、前記第一挿通部によって誘導されて前記配索方向側に引き出された前記第一電線の配索ラインと一直線上に並ばない形態であっても、複数のコネクタハウジングから引き出された電線を一つの配索方向に誘導することができる。【００１６】  本発明の請求項４に係るコネクタユニットは、前記第二コネクタハウジングおよび前記第二挿通部が、前記第一コネクタハウジングおよび前記第一挿通部に対して、前記第一挿通部から前記配索方向側に誘導された前記第一電線の配索ラインと一直線上に並ばない形態で位置し、前記第二挿通部から誘導された前記第二電線が、前記第二挿通部と前記第一挿通部の間で、前記第一挿通部から前記配索方向側に誘導された前記第一電線と一直線上に並ばない形態であって、かつ、前記第一挿通部に挿通されて前記第一電線とともに前記配索方向側に誘導されるので、前記第二挿通部から誘導された前記第二電線が、前記第二挿通部と前記第一挿通部の間で、前記第一挿通部から前記配索方向側に誘導された前記第一電線と一直線上に並ばない形態であっても、複数のコネクタハウジングから引き出された電線を一つの配索方向に誘導することができる。【００１７】  本発明の請求項５に係るコネクタユニットは、前記第二挿通部から誘導された前記第二電線は、前記第二挿通部と前記第一挿通部の間で、前記第一挿通部の前記配索方向側の前記第一電線の配索ラインと屈曲された状態であっても複数のコネクタハウジングから引き出された電線を一つの配索方向に誘導することができる。【００１８】  本発明の請求項６に係るコネクタユニットは、前記第二挿通部が、前記第三挿通部から誘導された前記第三電線を前記第二電線とともに前記第一挿通部側に誘導し、前記第一挿通部が、前記第三電線を前記第一電線および前記第二電線とともに前記配索方向側に誘導するので、複数のコネクタハウジングから引き出された電線を一つの配索方向に誘導することができる。【００１９】  本発明の請求項７に係るコネクタユニットは、前記第三挿通部から誘導された前記第三電線が、前記第三挿通部と前記第二挿通部の間で、前記第二挿通部と前記第一挿通部の間での前記第二電線の配索ラインと一直線上に並ばない形態であっても、複数のコネクタハウジングから引き出された電線を一つの配索方向に誘導することができる。
【図面の簡単な説明】
【００２０】
【図１】図１は、本発明の実施例に係るコネクタユニットの分解斜視図である。
【図２】図２は、図１に示したコネクタユニットの斜視図である。
【図３】図３は、図１に示したコネクタユニットと相手コネクタとが接続した状態を示す斜視図であり、（ａ）と（ｂ）とがそれぞれ、電線保護規制カバーがコネクタに対して電線挿通口を異なる方向に向けて組み付けた状態を示す図である。
【図４】図４は、電線保護規制カバーを複数のコネクタハウジングに取り付ける手順を示す図である。
【図５】図５は、電線保護規制カバーを複数のコネクタハウジングに取り付ける手順を示す図である。
【図６】図６は、電線保護規制カバーを複数のコネクタハウジングに取り付ける手順を示す図である。
【図７】図７は、複数のコネクタが一直線上に並んでいない状態を示す図である。
【図８】図８は、電線保護規制カバーをコネクタハウジングに対して９０°回転して取り付けたものを組み合わせて配索する一例を示す図である。
【図９】図９は、本発明の実施例に係るコネクタユニットの変形例のコネクタユニットの分解斜視図である。
【図１０】図１０は、（ａ）と（ｂ）が電線保護規制カバーをコネクタハウジングに対して軸中心に異なる方向に向けて取り付けたコネクタユニットの斜視図である。
【発明を実施するための形態】
【００２１】  以下、図面を参照して、本発明に係るコネクタユニットの好適な実施例を詳細に説明する。
【実施例】
【００２２】  図１は、本発明の実施例に係るコネクタユニット１の分解斜視図である。なお、図１では、コネクタ１０に接続する相手コネクタ１００の斜視図を示し、コネクタ１０から引き出す電線Ｗについて省略している。図２は、図１に示したコネクタユニット１の斜視図である。なお、図２では、コネクタ１０から引き出す電線Ｗについて省略している。図３は、図１に示したコネクタユニット１と相手コネクタ１００とが接続した状態を示す斜視図であり、（ａ）と（ｂ）とがそれぞれ、電線保護規制カバー３０がコネクタ１０に対して電線挿通口３１を異なる方向に向けて組み付けた状態を示す図である。  本発明の実施例に係るコネクタユニット１は、車両等に配索する電線に用いるものである。【００２３】  このコネクタユニット１は、端子付きの電線Ｗの端子Ｃを収容するコネクタハウジング２０を含むコネクタ１０と、コネクタハウジング２０から引き出した電線Ｗを配索方向に誘導し、かつ電線Ｗを保護するようにコネクタハウジング２０の電線引き出し口２０ａに組み付け、電線Ｗの挿通部として機能される電線保護規制カバー３０と、を有する。  なお、コネクタユニット１が複数（ｎ個）配置される場合、第一〜第ｎコネクタと、第一〜第ｎ挿通部（電線保護カバー３０）と、で構成されたものについてもコネクタユニットと称する。  なお、ここで「ｎ」は自然数である。【００２４】  まず、コネクタ１０について説明する。  コネクタハウジング２０は、合成樹脂等の絶縁材からなり、略直方体のブロック形状をなす。このコネクタハウジング２０は、内部に端子付きの電線Ｗの端子Ｃを収容する端子収容室２１を有する。なお、この実施例では、端子Ｃが雌端子であるものを例示したが、これに限定せず、雄端子であっても構わない。【００２５】  また、コネクタハウジング２０は、電線引き出し口２０ａ側の端部である電線引き出し側端部２０ｂが電線保護規制カバー３０の開口側の端部である開口側端部３０ｃと嵌合可能な形状をなす。この電線引き出し側端部２０ｂは、電線保護規制カバー３０の軸Ａと軸を同じくして開口側端部に嵌合可能な軸対称形状をなす。より具体的には、開口側端部３０ｃと嵌合するように軸Ａに直交する断面外形が正方形状をなす。  また、コネクタ１０は、図１に示す相手コネクタ１００に接続するようになっている。【００２６】  次に、電線保護規制カバー３０について説明する。  電線保護規制カバー３０は、有底であり軸対称の筒状をなし、かつ、他の電線保護規制カバー３０から配索した電線Ｗを貫通させて配索方向に規制するための電線Ｗの入口、あるいは出口になるとともに、電線引き出し口２０ａからの電線Ｗを配索方向に引き出す出口ともなる二つの電線挿通口３１、３１を電線保護規制カバー３０の側壁３０ａに形成する。【００２７】  この電線保護規制カバー３０は、より具体的には、合成樹脂等の絶縁材からなり、軸Ａに直交する断面外形が正方形状をなす。各電線挿通口３１、３１は、側壁３０ａの向かい合うそれぞれの面に形成し、側壁３０ａ、および底壁３０ｂによって囲われた内壁面によって、電線Ｗを配索方向に誘導するようになっている。【００２８】  また、電線保護規制カバー３０は、各電線挿通口３１、３１に開���側の端部である開口側端部３０ｃから二つの電線挿通口３１、３１の各電線挿通口３１、３１に電線Ｗを誘導する二つのガイドスリット３２、３２を有する。【００２９】  また、電線保護規制カバー３０は、コネクタハウジングに取り付けるため押圧操作する押圧操作面３３を底壁３０ｂの外表面３０ｄに形成する。  押圧操作面３３は、押圧方向に直交する面を外表面３０ｄのほぼ全域に形成してなる。【００３０】  また、コネクタユニット１は、電線保護規制カバー３０をコネクタハウジング２０に対して軸中心に回転した複数の向きで電線保護規制カバー３０とコネクタハウジング２０とを係止する軸中心回転用係止部４０を有する。【００３１】  軸中心回転用係止部４０は、電線保護規制カバー３０側に設けたカバー側係止部４１と、コネクタハウジング２０側に設けたコネクタ側係止部４２と、を有する。  カバー側係止部４１は、電線保護規制カバー３０の開口側端部３０ｃの４隅に内周面から突起するように設けたカバー側係止突起４１ａを有する。【００３２】  コネクタ側係止部４２は、電線引き出し側端部２０ｂの４隅に外周面から突起するように設けたコネクタ側係止突起４２ａを有する。  各カバー側係止突起４１ａと、各コネクタ側係止突起４２ａとは、軸対称の互いに対応した位置に設け、電線引き出し側端部２０ｂと開口側端部３０ｃとが嵌合する際、互いの突起をのり越えて嵌合完了位置で電線保護規制カバー３０とコネクタハウジング２０とを係止する。【００３３】  ここで、電線保護規制カバー３０は、有底の筒状をなし、かつ、他の電線保護規制カバー３０から配索した電線Ｗを貫通させて配索方向に誘導するための電線Ｗの入口、あるいは出口になるとともに、電線引き出し口２０ａからの電線Ｗを配索方向に引き出す出口ともなる二つの電線挿通口３１，３１を有するので、電線Ｗの配索方向に沿って設けた複数のコネクタ１０に組み付ける場合、各電線挿通口３１、３１を電線Ｗの入口、あるいは出口として機能を限定せず、コネクタ１０に対して組み付けることができる。【００３４】  また、電線保護規制カバー３０は、有底であり軸対称の筒状をなし、二つの電線挿通口３１、３１を互いに軸対称となるように側壁３０ａに形成しているので、二つの電線挿通口３１、３１の互いの向きに電線保護規制カバー３０のコネクタハウジング２０に対する組付け方向が限定されない。  すなわち、電線保護規制カバー３０は、隣りに配置した電線保護規制カバー３０に対して二つの電線挿通口３１、３１のどちらを向けてコネクタハウジング２０に組み付けてもよいため、電線Ｗの配索方向に沿って設けた複数のコネクタ１０に対して用いることができる。【００３５】  また、二つの電線挿通口３１、３１のどちらを電線Ｗの配索方向に向けてもよいため、電線保護規制カバー３０をコネクタハウジング２０に容易に組み付けることができる。【００３６】  また、図３に示すように、二つの電線挿通口３１、３１のどちらについてもコネクタハウジング２０から引き出した電線Ｗを挿通して配線方向（矢印Ｄ１、Ｄ２）に誘導することができる。【００３７】  また、電線保護規制カバー３０が軸Ａに直交する断面外形が正方形状をなし、コネクタハウジング２０の電線引き出し��端部２０ｂが開口側端部３０ｃと嵌合可能に軸Ａに直交する断面外形が正方形状をなすので、電線保護規制カバー３０をコネクタハウジング２０に対して軸中心に９０°回転させるごとにコネクタハウジング２０に安定して係止できる。  このため、図３（ａ）および図３（ｂ）に示すように、二つの電線挿通口３１、３１の向きを９０°回転させて、電線Ｗの配索方向を変化させることができる。【００３８】  次に、図４−図８を用いて、電線Ｗの配索作業において電線保護規制カバー３０を複数のコネクタハウジング２０に取り付ける手順について説明する。  図４―図６は、電線保護規制カバー３０を複数のコネクタハウジング２０に取り付ける手順を示す図である。図７は、複数のコネクタ１０が一直線上に並んでいない状態を示す図である。図８は、電線保護規制カバー３０をコネクタハウジング２０に対して９０°回転して取り付けたものを組み合わせて配索する一例を示す図である。  なお、この説明では複数のコネクタ１０が一直線上に並ぶようにして電線Ｗを配索するものを例示する。【００３９】  まず、作業者は、一つのコネクタ１０に対して電線保護規制カバー３０を電線挿通口３１が電線Ｗの配索方向（図４中、矢印Ｄ）に向くようにコネクタハウジング２０に組み付ける（図４（ａ）、（ｂ）参照）。  この作業では、コネクタハウジング２０から引き出した電線Ｗを電線保護規制カバー３０の一方の電線挿通口３１を電線Ｗの出口として電線Ｗを配索方向に引き出し、電線保護規制カバー３０をコネクタハウジング２０に組み付ける。  また、この作業では、コネクタハウジング２０から引き出した電線Ｗを各ガイドスリット３２、３２から各電線挿通口３１、３１に誘導するようにして電線保護規制カバー３０をコネクタハウジング２０に容易に組みつ付けることができる。  また、二つの電線挿通口３１、３１のうち、いずれか一方の電線挿通口３１を電線Ｗの配索方向図４中、矢印Ｄ）に向けて電線保護規制カバー３０をコネクタハウジング２０に組み付ければよい。  ここで、コネクタハウジング２０から引き出した電線Ｗを配索方向側の一方の電線挿通口３１から引き出すように屈曲した状態で電線保護規制カバー３０をコネクタハウジング２０に取り付ける。このとき、電線保護規制カバー３０は、押圧操作面３３を嵌合方向に押圧することによって、容易に取り付けることができる。  これにより、コネクタハウジング２０から引き出した電線Ｗは、電線保護規制カバー３０によって、束ねられ、かつ、配索方向に誘導される。【００４０】  その後、作業者は、電線Ｗの配索方向に沿って並ぶ別のコネクタ１０に対して電線保護規制カバー３０を電線挿通口３１が電線Ｗの配索方向に向くようにコネクタハウジング２０に組み付ける（図５（ｃ）、（ｄ）参照）。  なお、この作業でも、コネクタハウジング２０から引き出した電線Ｗを電線保護規制カバー３０の一方の電線挿通口３１を電線Ｗの出口として電線Ｗを配索方向に引き出し、電線保護規制カバー３０をコネクタハウジング２０に組み付ける。  また、この作業でも、ネクタハウジング２０から引き出した電線Ｗを各ガイドスリット３２、３２から各電線挿通口３１、３１に誘導するようにして電線保護規制カバー３０をコネクタハウジング２０に容易に組みつ付けることができる。  さらに、ここでも、上述の組み付け作業と同様に、二つの電線挿通口３１、３１のうち、いずれか一方の電線挿通口３１を電線Ｗの配索方向図４中、矢印Ｄ）に向けて電線保護規制カバー３０をコネクタハウジング２０に組み付ければよい。  ここでは、コネクタハウジング２０から引き出した電線Ｗを配索方向側の一方の電線挿通口３１から引き出すように屈曲した状態、かつ既に他のコネクタハウジング２０に組み付けた他の電線保護規制カバー３０から引き出した電線Ｗを一方の電線挿通口３１から他方の電線挿通口３１に貫通するように通した状態で電線保護規制カバー３０をコネクタハウジング２０に組み付ける。  すなわち、電線保護規制カバー３０の一方の電線挿通口３１が他の電線保護規制カバー３０から引き出した電線Ｗの入口となり、他方の電線挿通口３１が電線保護規制カバー３０から引き出した電線Ｗの出口として機能している。  ここでも、上述の組み付け作業と同様に電線保護規制カバー３０は、押圧操作面３３を嵌合方向に押圧することによって、容易に取り付けることができる。  このような作業を繰り返し、電線Ｗの配索方向に沿って並ぶ複数のコネクタ１０に電線保護規制カバー３０を組み付けることによって、電線Ｗを束ねつつ配索方向に誘導することができる（図６参照）。【００４１】  なお、この手順では、複数のコネクタ１０が一直線上に並ぶようにして電線Ｗを配索するものを例示したが、これに限らず、図７に示すように、複数のコネクタ１０が一直線上に並ばなくても構わない。【００４２】  また、８図に示すように、電線保護規制カバー３０をコネクタハウジング２０に対して９０°回転して取り付けたものを組み合わせて配索するようにしてもよい。【００４３】  本発明の実施例に係るコネクタユニット１は、有底の筒状をなし、かつ、他の電線保護規制カバー３０から配索した電線Ｗを貫通させて配索方向に誘導するための電線Ｗの入口、あるいは出口になるとともに、電線引き出し口２０ａからの電線Ｗを配索方向に引き出す出口ともなる二つの電線挿通口３１、３１を電線保護規制カバー３０の側壁３０ａに形成し、電線Ｗの配索方向に沿って設けた複数のコネクタ１０に組み付ける場合、各電線挿通口３１、３１を電線Ｗの入口、あるいは出口として機能を限定せず、コネクタ１０に対して組み付けることができるので、電線保護規制カバー３０を電線Ｗの配索方向に沿って設けた複数のコネクタ１０に対して組み付けることができる。【００４４】  また、本発明の実施例に係るコネクタユニット１は、電線保護規制カバー３０が軸対称であり、電線引き出し口２０ａ側の端部である電線引き出し側端部２０ｂが開口側端部３０ｃと軸Ａを同じくして開口側端部３０ｃに嵌合可能な軸対称形状をなすので、二つの電線挿通口３１、３１の互いの向きに電線保護規制カバー３０のコネクタハウジング２０に対する組付け方向が限定されない、すなわち、電線保護規制カバー３０は、隣り同士に配置する電線保護規制カバー３０に対して二つの電線挿通口３１、３１のどちらを向けてコネクタハウジング２０に組み付けてもよいため、コネクタ１０に対して電線保護規制カバー３０を容易に組み付けることができ���。【００４５】  また、本発明の実施例に係るコネクタユニット１は、軸中心回転用係止部４０が電線保護規制カバー３０をコネクタハウジング２０に対して軸中心に回転した複数の向きで、電線保護規制カバー３０とコネクタハウジング２０とを係止するので、電線Ｗの多様な配索方向に対応することができる。【００４６】  また、本発明の実施例に係るコネクタユニット１は、電線保護規制カバー３０の軸Ａに直交する断面外形が正方形状をなし、電線引き出し側端部２０ｂが開口側端部３０ｃと嵌合可能に軸に直交する断面外形が正方形状をなすので、電線保護規制カバー３０をコネクタハウジング２０に対して軸中心に９０°回転するごとに安定して電線保護規制カバー３０とコネクタハウジング２０とを係止することができる。【００４７】（変形例）  次に、図９および図１０を用いて、本発明の実施例に係るコネクタユニット１の変形例について説明する。図９は、本発明の実施例に係るコネクタユニット１の変形例のコネクタユニット２の分解斜視図である。図１０は、（ａ）と（ｂ）が電線保護規制カバー６０をコネクタハウジング５０に対して軸中心に異なる方向に向けて取り付けたコネクタユニット２の斜視図である。  この変形例のコネクタユニット２は、開口側端部６０ｃの軸Ａに直交する断面外形が円状なし、電線引き出し側端部２０ｂが開口側端部６０ｃと嵌合可能に軸Ａに直交する断面外形が円状をなす点で実施例のコネクタユニット１と異なる。  なお、その他の構成は実施例と同様であり、実施例と同一構成部分には同一符号を付している。【００４８】  コネクタユニット２は、コネクタハウジング５０に対して電線保護規制カバー６０を軸中心に回転した複数の向きで電線保護規制カバー６０とコネクタハウジング５０とを係止する軸中心回転用係止部７０を有する。【００４９】  軸中心回転用係止部７０は、電線保護規制カバー６０側に設けたカバー側係止部７１と、コネクタハウジング５０側に設けたコネクタ側係止部７２と、を有する。  カバー側係止部７１は、電線保護規制カバー６０の開口側端部６０ｃの内周面に沿って等間隔を隔てて突起するように設けた複数のカバー側係止凸部７１ａを有する。【００５０】  コネクタ側係止部７２は、電線引き出し側端部５０ｂの外周面に沿って等間隔を隔ててカバー側係止凸部７１ａを嵌め込む凹状のコネクタ側係止凹部７２ａを有する。  各カバー側係止凸部７１ａと、各コネクタ側係止凹部７２ａとは、軸対称の互いに対応した位置に設け、電線引き出し側端部５０ｂと開口側端部６０ｃとが嵌合する際、凹凸によって嵌め合い係止する。  ここで、開口側端部６０ｃの軸Ａに直交する断面外形が円状なし、電線引き出し側端部５０ｂが開口側端部６０ｃと嵌合可能に軸Ａに直交する断面外形が円状をなすので、電線保護規制カバー６０は、コネクタハウジング５０に対して軸中心に所定の角度で回転させるごとにコネクタハウジング５０に固定するようになっている。  このため、図１０に示すように、二つの電線挿通口６１、６１の向きを軸中心に所定の角度で回転させた向きで、電線の配索方向を変化させることができる。【００５１】  この変形例に係るコネクタユニット２は、実施例のコネクタユニット１と同様の効果を奏するとともに、開口側端部３０ｃの軸Ａに直交する断面外形が円状をなし、電線引き出し側端部２０ｂが開口側端部３０ｃと嵌合可能に軸Ａに直交する断面外形が円状をなすので、電線保護規制カバー３０がコネクタハウジング２０に対して回転角度に自由度を持って軸中心に回転することができる。【００５２】  なお、本発明の実施例に係るコネクタユニット１は、電線保護規制カバー３０が軸対称であるものを例示したが、これに限らず、有底の筒状をなしていればよい。例えば、断面外形が長方形状をなすものであっても構わない。【００５３】  以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５４】      １、２          コネクタユニット      １０、１１      コネクタ      ２０、５０      コネクタハウジング      ２０ａ、５０ａ  電線引き出し口      ２０ｂ、５０ｂ  電線引き出し側端部      ２１            端子収容室      ３０、６０      電線保護規制カバー      ３０ａ、６０ａ  側壁      ３０ｂ、６０ｂ  底壁      ３０ｃ、６０ｃ  開口側端部      ３０ｄ、６０ｄ  外表面      ３１、６１      電線挿通口      ３２            ガイドスリット      ３３            押圧操作面      ４０、７０      軸中心回転用係止部      ４１、７１      カバー側係止部      ４１ａ          カバー側係止突起      ７１ａ          カバー側係止凸部      ４２、７２      コネクタ側係止部      ４２ａ          コネクタ側係止突起      ７２ａ          コネクタ側係止凹部      １００          相手コネクタ      Ａ              軸      Ｃ              端子      Ｗ              電線
【図１】
0006491687.tif 000002
【図２】
0006491687.tif 000003
【図３】
0006491687.tif 000004
【図４】
0006491687.tif 000005
【図５】
0006491687.tif 000006
【図６】
0006491687.tif 000007
【図７】
0006491687.tif 000008
【図８】
0006491687.tif 000009
【図９】
0006491687.tif 000010
【図１０】
0006491687.tif 000011